(57)【特許請求の範囲】
【請求項１】
写真フィルムを装入可能な装入口と、装入された写真フィルムを前記装入口から延びた搬送レーン上で所定の速度で搬送するための主搬送機構と、写真フィルムに担持されたアナログ画像情報を光学的に読み取ってデジタル画像情報に変換するために前記搬送レーン上に配置された画像読取ポイントと、前記画像読取ポイントを通過した写真フィルムを排出可能な排出口とを備え、
前記主搬送機構は、写真フィルムを前記装入口から前記排出口に向かう第１方向に搬送する順送りモードと、写真フィルムを前記排出口から前記装入口に向かう第２方向に搬送する逆送りモードとの間で切り換え可能に設けられた画像読取装置であって、
前記排出口から一旦排出された写真フィルムが、前記主搬送機構の前記逆送りモードでの駆動に応じて再び装置内に導入されることを防止する引き込み防止機構が設けられている画像読取装置。
【請求項２】
前記排出口には、写真フィルムを前記排出口から押し出す補助排出ローラ対と、前記主搬送機構の前記順送りモードでの駆動力を前記補助排出ローラ対に伝える伝動機構とが設けられており、前記引き込み防止機構は、前記主搬送機構の前記逆送りモードにおいて前記補助排出ローラ対を回転不能な状態に保持する手段からなる請求項１に記載の画像読取装置。
【請求項３】
前記引き込み防止機構を構成する前記手段は、前記主搬送機構の前記逆送りモードでの駆動力が遮断されるように前記伝動機構に設けられたワンウェイクラッチ機構からなる請求項２に記載の画像読取装置。
【請求項４】
前記排出口には、写真フィルムを前記排出口から押し出す補助排出ローラ対と、前記主搬送機構の前記順送りモードでの駆動力を前記補助排出ローラ対に伝える伝動機構とが設けられており、前記防止機構は、上下のローラどうしの共通接線が前記順送り方向に沿って下方に傾斜した構成を有する前記補助排出ローラ対からなる請求項１に記載の画像読取装置。
【請求項５】
前記画像読取ポイントでは、写真フィルムを副走査方向に搬送しながら前記副走査方向と交差する主走査方向に延びたラインＣＣＤによって前記アナログ画像情報の取り込みが行われ、写真フィルムを順送りモードで副走査方向に搬送しながら低解像度のデジタル画像データを作成するプレスキャンモードと、写真フィルムを逆送りモードで副走査方向に搬送しながら高解像度のデジタル画像データを作成する本スキャンモードとが設けられている請求項１から４のいずれか１項に記載の画像読取装置。
【発明の詳細な説明】
【０００１】
【発明の属する技術分野】
写真フィルムを装入可能な装入口と、装入された写真フィルムを前記装入口から延びた搬送レーン上で所定の速度で搬送するための主搬送機構と、写真フィルムに担持されたアナログ画像情報を光学的に読み取ってデジタル画像情報に変換するために前記搬送レーン上に配置された画像読取ポイントと、前記画像読取ポイントを通過した写真フィルムを排出可能な排出口とを備え、
前記主搬送機構は、写真フィルムを前記装入口から前記排出口に向かう第１方向に搬送する順送りモードと、写真フィルムを前記排出口から前記装入口に向かう第２方向に搬送する逆送りモードとの間で切り換え可能に設けられた画像読取装置に関する。
【０００２】
【従来の技術】
上記の画像読取装置では、装入口から装入された写真フィルムを前記順送りモードで搬送しながら画像読取ポイントでアナログ画像情報を読み取り、読み取り操作を完了したら写真フィルムを逆送りモードで搬送して装入口から回収する回収形態の他に、（１３５フィルムであれば）読み取り操作を完了したら写真フィルムを装入口に戻さずにそのまま順送りモードで排出口から排出する回収形態を採用することができる。従って、例えば、低解像度の画像取り込みのためのプレスキャンとこれに続く高解像度の画像取り込みのための本スキャンとを別々に行うツーパス方式の画像読取を行う必要がなく、一度の順送りの搬送操作で最終的な十分な解像度の画像の取り込みまで実行してしまう使用方法（ワンパス方式）を採用した場合、読み取り操作を完了した写真フィルムを次々に排出口から排出すれば、次々に新たな写真フィルムを装入口から装入して画像読取の操作を行うことができ、作業の効率が高められる。
【０００３】
しかし、これら２つの使用方法が混在した状態で使用された場合、例えば、ワンパス方式による画像読取とフィルム回収の後にツーパス方式の画像読取を行うと、ツーパス方式のフィルム回収時に、排出口から排出された状態になっている写真フィルム（ワンパス方式で画像読取を完了したもの）が、再び排出口から装置内に引き込まれる虞があった（これは、例えば、排出口に配置された搬送用のローラ対の周面に自重で接触した状態で排出されている写真フィルムが、逆転開始したローラ対の周面との摩擦に基づいて、引き込まれる等の現象に基づく）。
【０００４】
【発明が解決しようとする課題】
したがって、本発明の目的は、上に例示した従来技術による画像読取装置の持つ前述した欠点に鑑み、ワンパス方式による画像読取とフィルム回収の後にツーパス方式の画像読取を行っても、排出口から排出された写真フィルムが再び排出口から装置内に引き込まれる虞の抑制された画像読取装置を提供することにある。
【０００５】
【課題を解決するための手段】
上記目的を達成するために、本発明に係る画像読取装置は、特許請求の範囲の欄の請求項１から５に記された特徴構成を備えている。
すなわち、本発明の請求項１による画像読取装置は、
写真フィルムを装入可能な装入口と、装入された写真フィルムを前記装入口から延びた搬送レーン上で所定の速度で搬送するための主搬送機構と、写真フィルムに担持されたアナログ画像情報を光学的に読み取ってデジタル画像情報に変換するために前記搬送レーン上に配置された画像読取ポイントと、前記画像読取ポイントを通過した写真フィルムを排出可能な排出口とを備え、
前記主搬送機構は、写真フィルムを前記装入口から前記排出口に向かう第１方向に搬送する順送りモードと、写真フィルムを前記排出口から前記装入口に向かう第２方向に搬送する逆送りモードとの間で切り換え可能に設けられた画像読取装置であって、
前記排出口から一旦排出された写真フィルムが、前記主搬送機構の前記逆送りモードでの駆動に応じて再び装置内に導入されることを防止する引き込み防止機構が設けられていることを特徴構成としている。
【０００６】
このような特徴構成を備えているために、本発明の特許請求の範囲の請求項１による画像読取装置では、ワンパス方式とツーパス方式と言う２つの使用方法が混在した状態を呈した場合、例えば、ワンパス方式による画像読取とフィルム回収の後にツーパス方式の画像読取が行われても、排出口から排出された写真フィルムが再び排出口から装置内に引き込まれる虞が少なくなる。
【０００７】
尚、より具体的な構成としては、前記排出口に、写真フィルムを前記排出口から押し出す補助排出ローラ対と、前記主搬送機構の前記順送りモードでの駆動力を前記補助排出ローラ対に伝える伝動機構とを設け、前記引き込み防止機構は、前記主搬送機構の前記逆送りモードにおいて前記補助排出ローラ対を回転不能な状態に保持する手段からなる構成とすることができる。
さらに具体的な構成としては、前記引き込み防止機構を構成する前記手段は、前記主搬送機構の前記逆送りモードでの駆動力が遮断されるように前記伝動機構に設けられたワンウェイクラッチ機構からなる構成とすることができる。
このように構成すれば、伝動機構に設けられたワンウェイクラッチ機構の作用に基づいて、順送りモードにおける前記主搬送機構の駆動力は補助排出ローラ対に同期した状態で伝えられるが、逆送りモードにおける前記主搬送機構の駆動力は実質的に補助排出ローラ対に伝えられないので、補助排出ローラ対が逆転して、前記排出口から一旦排出された写真フィルムが再び装置内に導入される事態が抑制される。
【０００８】
或いは、より具体的な構成としては、前記排出口には、写真フィルムを前記排出口から押し出す補助排出ローラ対と、前記主搬送機構の前記順送りモードでの駆動力を前記補助排出ローラ対に伝える伝動機構とが設けられており、前記防止機構は、上下のローラどうしの共通接線が前記順送り方向に沿って下方に傾斜した構成を有する前記補助排出ローラ対からなる。
このように構成すれば、順送りモードにおける主搬送機構の駆動力によって回転駆動される補助排出ローラ対によって排出口から押し出された写真フィルムは、写真フィルムの自重と順送り方向に沿って下方に傾斜したローラの周面との作用で、補助排出ローラ対から下方に落下し、補助排出ローラ対の周面から離間した状態が提供されるので、補助排出ローラ対が逆転しても、排出口から一旦排出された写真フィルムが再び装置内に導入される事態が解消される。
【０００９】
本発明によるその他の特徴および利点は、以下図面を用いた実施形態の説明により明らかになるであろう。
【００１０】
【発明の実施の形態】
図１は、本発明による画像読取装置の一実施形態としてのスキャナ装置１の外観を示す。
（スキャナ装置とその構成）
スキャナ装置１は、現像済みの写真フィルムＦに形成されたアナログ画像データを、写真フィルムの各画像駒を透過する透過光をＣＣＤで受光することによってデジタル画像データに変換するためのものである。得られたデジタル画像データは、一般に、スキャナ装置１に接続されたデジタルプリント装置（不図示）乃至はコンピュータ（不図示）の記憶部などに一旦格納され、適当な時期に所望の方式で出力することができる。出力方式としては、前記デジタルプリント装置などによる銀塩式写真プリントの他、コンパクトディスク、ＭＯその他の記憶媒体への保存が可能となる。
【００１１】
スキャナ装置１は、下面に移動用のキャスタ４が付けられた直方体のキャビネット３を有するスキャナ本体２と、スキャナ本体２の上面に着脱自在に設けられたフィルムキャリア９とを備えている。尚、市中には、フィルムの外形の幅が約３５ｍｍの１３５フィルム、幅が２４ｍｍでＡＰＳフィルムとも呼ばれる２４０フィルム、幅が１６ｍｍの１１０フィルム、幅が６０ｍｍの１２０或いは２２０フィルムと言った、複数の形態の写真フィルムが存在するので、フィルムキャリアも複数の型のものが用意されている。ここでは、１３５フィルムＦ１と２４０フィルムＦ２の２種類のフィルムに対応した兼用型のフィルムキャリア９について解説する。
尚、ここでは、１３５フィルムＦ１としては、６駒程度以下の画像駒を備えた短いピースフィルムの状態の写真フィルムを、２４０フィルムＦ２としては、専用のカートリッジＦＣ内に引き出し可能に収納されている２４０フィルムＦ２を処理するものとして説明する。
【００１２】
（スキャナ本体の構成）
スキャナ本体２の内部には光源ランプ５が配置されており、スキャナ本体２の上面には、光源ランプ５からの光ビームをフィルムキャリア９内に支持された写真フィルムＦを透過する下向きの光ビームに変換する導光アーム６が設けられている。導光アーム６内には、光源ランプ５から発され一旦キャビネット３外まで進む上向きの光路を水平の光路に変換する第１反射ミラー６ａと、この水平の光路を更に下向きの光路に変換して、フィルムキャリア９内に支持された写真フィルムに導く第２反射ミラー６ｂとが設けられている。但し、光ファイバー束などからなる導光手段を、第１反射ミラー６ａと第２反射ミラー６ｂからなる構成に代えても良い。
スキャナ本体２の内部にはさらに、写真フィルムＦの画像駒を透過した透過光を受光し、デジタル画像データに光電変換するためのラインＣＣＤ８、幾つかのフィルム幅規格から選択される任意の幅を備えた写真フィルムＦから届けられる光ビームの幅をラインＣＣＤ８の幅に適合させ、同時に、前記透過光が形成するアナログ画像をＣＣＤ８の入力面に合焦させるズームレンズ７などが配置されている。ラインＣＣＤ８は、スキャニングの主走査方向と一致する図１の矢印Ａと平行に延びている。
【００１３】
（フィルムキャリアの構成）
図２と図３に示すように、フィルムキャリア９は、合成樹脂などで形成された筐体状のフィルムキャリア本体１０を有する。フィルムキャリア本体１０は、スキャナ本体２の上面に設けられた位置決めレールを受け入れる係合溝（不図示）を下面に備えた下側本体１０Ｌと、下側本体１０Ｌの上面を覆う上側本体１０Ｕとからなる。フィルムキャリア本体１０の右辺には、オペレータが装入する１３５フィルムＦ１を受け入れる装入口１０ａが設けられており、左辺には必要に応じて１３５フィルムＦ１を左側から排出するための排出口１０ｂが設けられている。
【００１４】
上側本体１０Ｕは、オペレータから見て奥側の第１部位１０Ｆと、オペレータから見て手前側の第２部位１０Ｇとからなり、これら２つの部位１０Ｆ，１０Ｇは水平な軸芯を備えたヒンジ（不図示）によって連結されている。そして、通常は第１部位１０Ｆは下側本体１０Ｌにネジ止めされているが、第２部位１０Ｇは、下側本体１０Ｌの上面を閉じた閉鎖姿勢（図２の状態）と、下側本体１０Ｌの上面が開放されて、内部の構造にアクセス可能な開放姿勢（不図示）との間で切り換え可能に設けられている。第２部位１０Ｇと下側本体１０Ｌの間には、第２部位１０Ｇを閉鎖姿勢で保持するロック機構（不図示）が設けられている。フィルムキャリア９はこの閉鎖姿勢でスキャナ本体２の導光アーム６の下に設置可能となる。
【００１５】
上側本体１０Ｕ（第２部位１０Ｇ）には、導光アーム６の先端から下向きに延びるスキャニング用の光ビームを受け入れる上側開口部１１Ｕが形成されている。同様に、下側本体１０Ｌには、写真フィルムＦの画像駒を透過した透過光をスキャナ本体２の内部のラインＣＣＤに導く下側開口部（不図示）が形成されている。上側開口部１１Ｕと下側開口部の副走査方向に延びた中心軸は、ラインＣＣＤ８によるスキャニングポイントＳＰと略一致する。装入口１０ａから受け入れられた１３５フィルムＦ１は（尚、後述する２４０フィルムＦ２も同様である）、装入口１０ａと排出口１０ｂを結ぶ直線と一致する固定された搬送軸芯Ｘｍ（図２を参照）に沿って、言い換えれば、矢印Ａと直交する副走査方向に搬送されながらスキャニングポイントＳＰでスキャニングされる。
【００１６】
また、図３と図６に示すように、フィルムキャリア本体１０内には、１３５フィルムＦ１用の第１搬送レーンＦＬ１と２４０フィルムＦ２用の第２搬送レーンＦＬ２とを同時に備えたデュアルレーンユニット３０が設けられている。第１搬送レーンＦＬ１と第２搬送レーンＦＬ２の各搬送方向の軸芯Ｘ１，Ｘ２上には、それぞれ、導光アーム６の先端から送られる光ビームを、その断面形状を適切に整えた状態で各写真フィルムに照射する第１と第２スリットＳＬ１，ＳＬ２が設けられている。
図６（イ）と図６（ロ）とに示すように、デュアルレーンユニット３０は、下側本体１０Ｌの床面に形成された一対のレール（不図示）上を副走査方向に沿って摺動自在に支持されている。そして、デュアルレーンユニット３０は、１３５フィルムＦ１用の第１スリットＳＬ１がスキャニングポイントＳＰと一致する第１位置（図６（イ）の状態）と、２４０フィルムＦ２用の第２スリットＳＬ２がスキャニングポイントＳＰと一致する第２位置（図６（ロ）の状態）との間を任意に移動可能であり、前記第１と第２位置のいずれか一方の位置で選択的に仮止めすることができる。尚、このデュアルレーンユニット３０の位置の切り換え、及び、仮止めは、フィルムキャリア９外に突出した第１操作ハンドルＨ１を介して、オペレータの手動操作によって行われる。
【００１７】
（フィルム搬送機構）
フィルムキャリア９には、写真フィルムＦを一定の速度で副走査方向に搬送するフィルム搬送機構２０が搭載されている。図５と図４に示すように、フィルム搬送機構２０は、デュアルレーンユニット３０の第１搬送レーンＦＬ１上に副走査方向に沿って配置された４組の搬送ローラ対Ｒｐ１ａ，Ｒｐ１ｂ，Ｒｐ１ｃ，Ｒｐ１ｄと、第２搬送レーンＦＬ２上に副走査方向に沿って配置された３組の搬送ローラ対Ｒｐ２ａ，Ｒｐ２ｂ，Ｒｐ２ｃと、やはりデュアルレーンユニット３０上に固定されたモータＭ１と、モータＭ１の回転駆動力をこれらの各搬送ローラ対に伝達するために適宜回転自在に配置されたタイミングギヤとタイミングベルトとを有する。モータＭ１を正転させれば、写真フィルムＦは、第１搬送レーンＦＬ１或いは第２搬送レーンＦＬ２上を図４の左向きに搬送され、モータＭ１を逆転させれば、第１搬送レーンＦＬ１或いは第２搬送レーンＦＬ２上を図４の右向きに搬送される。
【００１８】
尚、図３に示すように、デュアルレーンユニット３０は、フィルムキャリア９の下側本体１０Ｌに直接支持されレーンユニット本体３０ａと、レーンユニット本体３０ａの上面に揺動自在に支持された第１と第２揺動プレート３１ａ，３１ｂとを有する。第１と第２揺動プレート３１ａ，３１ｂは、これらの揺動プレート３１ａ，３１ｂの奥側の辺に配置されたヒンジを介して、レーンユニット本体３０ａが水平姿勢を取って揺動プレート３１ａ，３１ｂの全体がレーンユニット本体３０ａに近接した閉鎖位置（図２の状態ではこの閉鎖位置が実現されているが、図示はされていない）と、レーンユニット本体３０ａが傾斜姿勢を取って揺動プレート３１ａ，３１ｂの手前側がレーンユニット本体３０ａから離間した開放位置（図３に示す状態）との間で切り換え可能に設けられている。第１と第２揺動プレート３１ａ，３１ｂの手前側の辺付近には、オペレータが第１と第２揺動プレート３１ａ，３１ｂを下向きに押付ける操作に応じて、第１と第２揺動プレート３１ａ，３１ｂを自動的に前記閉鎖位置に固定するロック手段（不図示）が設けられている。逆に前記ロック手段を解除操作すれば、第１と第２揺動プレート３１ａ，３１ｂは付勢手段（不図示）によって自動的に開放位置に変位する。
因みに、揺動プレート３１ａ，３１ｂを開放位置に引き上げる操作は、フィルムキャリア本体１０の第２部位１０Ｇを開放姿勢に切り換えた後で初めて可能であるが、図３では第２部位１０Ｇを省略している。
【００１９】
レーンユニット本体３０ａには、第１と第２搬送レーンＦＬ１，ＦＬ２の下面（写真フィルムＦの下向き面、すなわち乳剤面と対向する）が形成されており、第１と第２揺動プレート３１ａ，３１ｂには、第１と第２搬送レーンＦＬ１，ＦＬ２の上面（写真フィルムＦの上向き面、すなわちベース面と対向する）が形成されている。
より具体的には、図３に示すように、第１搬送レーンＦＬ１の上流側の２組の搬送ローラ対Ｒｐ１ａ，Ｒｐ１ｂと第２搬送レーンＦＬ２の最初の搬送ローラ対Ｒｐ２ａを構成する各上側の各搬送ローラＲ１ａ，Ｒ１ｂ，Ｒ２ａは、第１揺動プレート３１ａに支持されており、第１揺動プレート３１ａが前記閉鎖位置を取った状態では、これらの各搬送ローラは、レーンユニット本体３０ａ側の対応位置に配置された下側の搬送ローラＲ１ａ，Ｒ１ｂ，Ｒ２ａに押付けられる。
【００２０】
同様に、第１搬送レーンＦＬ１の下流側の２組の搬送ローラ対Ｒｐ１ｃ，Ｒｐ１ｄと第２搬送レーンＦＬ２の後半の搬送ローラ対Ｒｐ２ｂ，Ｒｐ２ｃを構成する各上側の各搬送ローラＲ１ｃ，Ｒ１ｄ，Ｒ２ｂ，Ｒ２ｃは、第２揺動プレート３１ｂに支持されており、第２揺動プレート３１ｂが前記閉鎖位置を取った状態では、これらの各搬送ローラは、レーンユニット本体３０ａ側の対応位置に配置された下側の搬送ローラＲ１ｃ，Ｒ１ｄ，Ｒ２ｂ，Ｒ２ｃに押付けられる。
尚、レーンユニット本体３０ａに支持された下側の搬送ローラＲ１ａ，Ｒ１ｂ，Ｒ１ｃ，Ｒ１ｄ，Ｒ２ａ，Ｒ２ｂ，Ｒ２ｃは、タイミングギヤとタイミングベルトを介してモータＭ１によって直接回転駆動される駆動ローラであるが、第１揺動プレート３１ａと第２揺動プレート３１ｂに支持された上側の搬送ローラＲ１ａ，Ｒ１ｂ，Ｒ１ｃ，Ｒ１ｄ，Ｒ２ａ，Ｒ２ｂ，Ｒ２ｃは、下側の搬送ローラＲ１ａ，Ｒ１ｂ，Ｒ１ｃ，Ｒ１ｄ，Ｒ２ａ，Ｒ２ｂ，Ｒ２ｃとの互いの周面の間で発生する摩擦（乃至は、各ローラ対の間に挟着された写真フィルムＦと前記周面との間で発生する摩擦）に基づいて従動的に駆動される従動ローラである。
【００２１】
（フィルム搬送機構の巻取りユニットについて）
さらに、図３、図５及び図６に示すように、フィルム搬送機構２０は、排出口１０ｂの直前に配置された固定排出ローラ対Ｒｐ１ｅ（すなわち、下方の固定排出ローラＲ１ｅと上方の固定排出ローラＲ１ｅ）と、排出ローラ対Ｒｐ１ｅのさらに直前で、デュアルレーンユニット３０の下流側端部に隣接する位置に配置された巻取りユニット４０とを含む。
巻取りユニット４０は、主に排出口１０ｂからフィルムキャリア９外に排出させたくない１３５フィルムＦ１及び２４０フィルムＦ２の先端から中間部位などを巻き取って一時的にフィルムキャリア９内に保管するために設けられている。尚、巻取りユニット４０は、デュアルレーンユニット３０側から供給されてくる写真フィルムＦを巻取りユニット４０のドラム４１の周面上に巻き取る巻取りモード（図９（イ）の状態）と、供給されてくる写真フィルムＦを巻き取ることなく、そのまま通過させ、下流の排出ローラ対Ｒｐ１ｅに供給する通過モード（図９（ロ）の状態）との間で切り換え可能に設けられている。
他方、固定排出ローラ対Ｒ１ｅ，Ｒ１ｅは、主に、デュアルレーンユニット３０側から供給されてくる１３５フィルムＦ１を、右側の装入口１０ａ側に戻すことなく、左側の排出口１０ｂからフィルムキャリア９外に迅速に排出するために設けられている。
【００２２】
尚、巻取りユニット４０と固定排出ローラ対Ｒ１ｅ，Ｒ１ｅとは、移動可能なデュアルレーンユニット３０上ではなく、フィルムキャリア９内の一定の位置に固定設置されているが、デュアルレーンユニット３０上の各ローラ対と同様にモータＭ１からの回転駆動力によって駆動される。すなわち、図５に示すように、デュアルレーンユニット３０の下流側端部の手前側の下面には、モータＭ１の回転駆動力をデュアルレーンユニット３０外に分配する出力ギヤＤＧが設けられており、他方、下側本体１０Ｌには、出力ギヤＤＧと噛合する入力ギヤＬＧが回転自在に支持されている。この入力ギヤＬＧは、デュアルレーンユニット３０の前記第１と第２位置の間での移動に関わらず常に出力ギヤＤＧと噛合状態を保持可能なように、主走査方向に非常に長い幅を備えた形状を有する。
【００２３】
（２つのスキャニング操作方法について）
ところで、スキャナ装置１に本実施形態に記されたフィルムキャリア９を用いた場合には、ツーパス方式とワンパス方式と言う２種類のスキャニング操作方法が可能となる。
図１２と図１３に示すように、ツーパス方式では、先ず、第１工程として、装入口１０ａから受け入れられた写真フィルムＦを左向きに高速で搬送し、スキャニングポイントＳＰを越えた写真フィルムＦの部位を巻取りユニット４０に巻き取りながら、指定された画像駒のプレスキャンを行い（図１２（イ）並びに図１３（イ）の工程）、引き続き、第２工程として、巻き取られた写真フィルムＦの部位を巻取りユニット４０から引き出しながら、写真フィルムＦを今度は右向きに低速で搬送しながら搬送しながら本スキャンを行う（図１２（ロ）並びに図１３（ロ）の工程）。
【００２４】
プレスキャンでは、スキャニングを必要とする画像駒の位置（言い換えれば画像駒どうしの間に位置する素抜け部の位置）の特定など補助的な情報の入手を行うと共に、前記デジタルプリント装置などのモニタスクリーンに表示された画像に基づいて色補正操作等のプレジャッジを実施するために最小限必要な低解像度の画像データを、前記画像駒からラインＣＣＤ８によって前記記憶部の所定領域に取込む。
【００２５】
本スキャンでは、プレスキャンで得られた画像駒の位置情報などに基づいて、前記デジタルプリント装置によるプリント出力などに必要な高解像度の画像データを前記画像駒からラインＣＣＤ８によって前記記憶部の別の所定領域に取込む。次に、前記記憶部に取込まれた高解像度の画像データにプレジャッジで得られた色補正条件を反映したプリントデータが作成され、前記記憶部の前記所定領域に上書きされ、適宜プリント出力される。プレスキャンで得られたデータは、対応する画像駒のプリントデータの格納に応じて次々に削除されるので、その分だけ前記記憶部の容量が小さくて済む。
ツーパス方式を行う場合には、１３５フィルムＦ１と２４０フィルムＦ２のいずれのタイプのフィルムでも、プレスキャン時には、デュアルレーンユニット３０よりも更に下流側に供給される写真フィルムＦの部位は、一旦巻取りユニット４０に巻き取られる。
【００２６】
ワンパス方式では、装入口１０ａから受け入れられた写真フィルムＦを左向きに低速で搬送しながら、指定された画像駒の一度限りのスキャンを、プレスキャンと本スキャンを兼ねたスキャニングとして行う（図１２（ハ）及び図１３（ハ）の工程）。
図１２（ハ）に示すように、１３５フィルムＦ１に対してワンパス方式を行う場合には、デュアルレーンユニット３０から下流側に供給される写真フィルムＦの部位を巻取りユニット４０に巻き取る操作は行われず、巻取りユニット４０を通過モードに設定しておくことで、１３５フィルムＦ１の全体が巻取りユニット４０上をそのまま通過し、下流の固定排出ローラ対Ｒ１ｅ，Ｒ１ｅと排出口１０ｂを介して、フィルムキャリア９から排出される。これによって処理効率が向上する。
図１３（ハ）に示すように、２４０フィルムＦ２に対してワンパス方式を行う場合には、デュアルレーンユニット３０から下流側に供給される写真フィルムＦの部位を巻取りユニット４０に巻き取りながら、スキャニングが行われ、スキャニングの完了後、カートリッジＦＣに巻き戻される。これは、原則的に２４０フィルムＦの端部は、専用のカートリッジＦＣのスプール軸ＦＣ１から切り離すことなくスキャニング処理されるためである。
【００２７】
（排出ローラ対の構成）
図１０に示すように、固定排出ローラ対Ｒ１ｅ，Ｒ１ｅもまた、レーンユニット本体３０ａに支持された下側の搬送ローラＲ１ｅと、レーンユニット本体３０ａの上面に揺動自在に支持された第３揺動プレート３１ｃに支持された上側の搬送ローラＲ１ｅとからなる。そして、下側の搬送ローラＲ１ｅは、タイミングギヤとタイミングベルトを介してモータＭ１によって直接回転駆動される駆動ローラであるが、上側の搬送ローラＲ１ｅは、下側の搬送ローラＲ１ｅとの互いの周面の間で発生する摩擦（乃至は、各ローラ対の間に挟着された写真フィルムＦと前記周面との間で発生する摩擦）に基づいて従動的に駆動される従動ローラである。
さらに、下側の搬送ローラＲ１ｅと直結したタイミングプーリの軸芯（伝動機構の一例）の上には、ワンウェイクラッチ機構３３（引き込み防止機構の一例）が介装されている。この構成の結果、モータＭ１が正転駆動されると、下側の搬送ローラＲ１ｅは、レーンユニット本体３０ａの下側の各搬送ローラＲ１ａ，Ｒ１ｂ，Ｒ１ｃ，Ｒ１ｄ，Ｒ２ａ，Ｒ２ｂ，Ｒ２ｃと同一の周速度で回転駆動されて、１３５フィルムＦ１を左向きに搬送するが（図１０（イ）の状態）、モータＭ１が逆転駆動された場合には、ワンウェイクラッチ３３の作用で、モータＭ１の駆動力は実質的に排出ローラ対Ｒ１ｅ，Ｒ１ｅに伝えられない（図１０（ロ）の状態）。言い換えれば、モータＭ１が逆転駆動された場合には、ワンウェイクラッチ機構３３の作用で、下側の搬送ローラＲ１ｅは、僅かな荷重の抵抗によって回転不能な状態に保持される。
【００２８】
この搬送ローラＲ１ｅの構成は、ワンパス方式によるスキャン操作を完了した１３５フィルムＦ１が、排出ローラ対Ｒ１ｅ，Ｒ１ｅによって排出口１０ｂからフィルムキャリア９外に排出された後に、ツーパス方式によるスキャン操作を完了した１３５フィルムＦ１、または、ツーパス方式乃至はワンパス方式によるスキャン操作を完了した２４０フィルムＦ２が、モータＭ１の逆転によって右向きに戻された場合に、先の１３５フィルムＦ１が排出ローラ対Ｒ１ｅ，Ｒ１ｅによって再びフィルムキャリア９内に引き込まれて、例えば巻取りユニット４０などでジャミングを起こすと言った事態を防止するための構成である。
【００２９】
すなわち、ワンパス方式によってスキャンされた１３５フィルムＦ１が、排出ローラ対Ｒ１ｅ，Ｒ１ｅによって排出口１０ｂからフィルムキャリア９外に排出された時、もしも、１３５フィルムＦ１の端部が未だ排出ローラ対Ｒ１ｅ，Ｒ１ｅの周面に接していた場合、モータＭ１の逆転によって排出ローラ対Ｒ１ｅ，Ｒ１ｅが強制的に逆転操作される構成であれば、上記のように一旦排出された１３５フィルムＦ１が再びフィルムキャリア９内に引き込まれる虞がある。しかし、本実施形態のフィルムキャリア９では、モータＭ１の回転駆動力は、前述したようなワンウェイクラッチ内蔵型のプーリ３３を介して下側の排出ローラＲ１ｅに伝達されるように構成されているので、先行して処理済みの１３５フィルムＦ１の端部が未だ排出ローラ対Ｒ１ｅ，Ｒ１ｅの周面に接している状態でモータＭ１の逆転操作が行われても、排出ローラ対Ｒ１ｅ，Ｒ１ｅは強制的に逆転操作されず、小さな抵抗力で静止状態に保持されるので、フィルムキャリア９内に引き込まれ難い。
【００３０】
（巻取りユニットの詳細な構造）
図７と図８に示すように、巻取りユニット４０は、主に、モータＭ１の正転に応じてフィルム巻取り方向に回転駆動され、モータＭ１の逆転に応じてフィルム繰出し方向に回転駆動される巻取りドラム４１と、巻取りドラム４１の上流側上方に位置する軸芯Ｘ３周りで揺動自在に支持された第１ガイドアーム４２と、巻取りドラム４１の下流側下方に位置する軸芯Ｘ４周りで揺動自在に支持された第２ガイドアーム４３と、巻取りドラム４１の上流側下方に位置する軸芯Ｘ５周りで揺動自在に支持された保持アーム４４とを有する。
第１ガイドアーム４２の先端には、一対の遊転ローラ４２ａ，４２ａが支持されており、第１ガイドアーム４２の下面には、軸芯Ｘ３付近から遊転ローラ４２ａ，４２ａ付近まで延びた案内面４２ｂが形成されている。案内面４２ｂは、下向き凹面状の断面形状を有し、写真フィルムＦの先端をスムースに案内する働きを有する。そして、第１ガイドアーム４２は、ソレノイド４９によって操作されるアクチュエータ機構５０によって、遊転ローラ４２ａ，４２が巻取りドラム４１の周面に近接した第１姿勢（図９の（イ）の状態）と、遊転ローラ４２ａ，４２ａが巻取りドラム４１の周面から離間した第２姿勢（図９の（ロ）の状態）との間で切り換え操作される。
【００３１】
第２ガイドアーム４３は鋭角な断面形状を備えた先端部４３ａを有する。第２ガイドアーム４３の内面には、軸芯Ｘ４付近から先端部４３ａまで概して上方に延びた第１案内面４３ｂが形成されている。第１案内面４３ｂは、凹面状の断面形状を有し、写真フィルムＦの先端を下方側にスムースに案内する働きを有する。また、先端部４３ａからは、下流側に向かって水平に延びた第２案内面４３ｃが延びている。第２案内面４３ｃは平面状の断面形状を有し、写真フィルムＦの先端を排出口１０ｂ側へとスムースに案内する働きを有する。
第２ガイドアーム４３は、アクチュエータ機構５０によって、先端部４３ａが前記第２姿勢にある第１ガイドアーム４２の案内面４２ｂよりも径方向外側に退避した第１姿勢（図９の（イ）の状態）と、先端部４３ａが巻取りドラム４１の周面に突出形成された弾性ベルト４１ａの外周面よりも巻取りドラム４１の中心側に進入した第２姿勢（図９の（ロ）の状態）との間で切り換え操作される。第２ガイドアーム４３が第１姿勢にある時、写真フィルムＦの先端は、巻取りドラム４１に巻き取られるべく、第１案内面４３ｂに沿って下方に案内される。他方、第２ガイドアーム４３が第２姿勢にある時、写真フィルムＦの先端は、第２案内面４３ｃによって水平に案内され、巻取りドラム４１の上方を素通りして排出口１０ｂ側へと進む。
【００３２】
尚、保持アーム４４の先端には、一対の遊転ローラ４４ａ，４４ａが支持されている。そして、保持アーム４４は、アクチュエータ機構５０の作用と無関係に常に遊転ローラ４４ａ，４４ａが巻取りドラム４１の周面に押付けられるように、付勢手段（不図示）によって付勢されている。保持アーム４４の下流側に面した内面には、軸芯Ｘ５付近から遊転ローラ４４ａ，４４ａ付近まで延びた案内面４４ｂが形成されている。案内面４４ｂは、下流側を向いた凹面状の断面形状を有し、写真フィルムＦの先端を、巻取りドラム４１の周面を形成している弾性ベルト４１ａと遊転ローラ４４ａ，４４ａの境界部へとスムースに案内する働きを有する。
【００３３】
アクチュエータ機構５０は、第１ガイドアーム４２をその第１姿勢から第２姿勢に切り換える操作と、第２ガイドアーム４３をその第１姿勢から第２姿勢に切り換える操作とを同時に行い、同様に、第１ガイドアーム４２をその第２姿勢から第１姿勢に戻す操作と、第２ガイドアーム４３をその第２姿勢から第１姿勢に切り換える操作とを同時に行うように構成されている。第１ガイドアーム４２と第２ガイドアーム４３の第１姿勢によって、巻取りユニット４０の巻取りモードが実現され、第１ガイドアーム４２と第２ガイドアーム４３の第２姿勢によって、巻取りユニット４０の通過モードが実現される。尚、アクチュエータ機構５０は、第１ガイドアーム４２と共通の軸芯Ｘ３周りで揺動可能な制御アーム５０ａからなり、制御アーム５０ａには、第１ガイドアーム４２と第２ガイドアーム４３の各々を前述した要領で揺動操作するための作用点（不図示）が形成されている。
尚、巻取りドラム４１の軸と直結したタイミングプーリは、ツーウェイクラッチ内臓型のプーリによって構成されているので、モータＭ１の回転方向と無関係に、巻取りドラム４１の周面に働く小さな抵抗によって静止状態に保持される。
【００３４】
（カートリッジ操作機構）
フィルムキャリア９には、専用のカートリッジＦＣ内に収納されている２４０フィルムＦ２をスキャニング処理するためのカートリッジ操作機構６０が設けられている。図３と図４に示すように、カートリッジ操作機構６０は、カートリッジＦＣを係止するためにデュアルレーンユニット３０の第２搬送レーンＦＬ２の上流側端部に設けられたポケット状のカートリッジホルダ６１と、カートリッジホルダ６１内に係止されたカートリッジＦＣのスプール軸ＦＣ１の端面内に係入するようにカートリッジホルダ６１の対向する一対の壁面６１ａ，６１ｂから内側に突出した１対のスピンドル６２ａ，６２ｂと、カートリッジＦＣの開口部を開閉する遮光扉ＦＣ２の被走査軸の端面内に係入するように奥側の壁面６１ａから内側に突出した扉操作軸６３と、手前側のスピンドル６２ｂと扉操作軸６３とを適宜のタイミングで必要な方向に回転駆動するためにデュアルレーンユニット３０の手前側の端部に固定されたモータＭ２とを有する。
【００３５】
カートリッジホルダ６１の奥側の壁面６１ａは、カートリッジＦＣの軸芯方向に沿って移動可能なブロック状部材６４に形成されている。ブロック状部材６４は、図４の双方向を向いた矢印が示すように、１対のスピンドル６２ａ，６２ｂ間の間隔がカートリッジＦＣの長さを超える開放位置と、１対のスピンドル６２ａ，６２ｂがカートリッジＦＣのスプール軸ＦＣ１の端面内に係入する係止位置との間で切り換え可能になっている。ブロック状部材６４の位置の切り換えは、フィルムキャリア９外に突出した第２操作ハンドルＨ２を介してオペレータの手動操作によって行われる。
デュアルレーンユニット３０を前記第１位置に切り換え、ブロック状部材６４を開放位置にした状態で２４０フィルムＦ２のカートリッジＦＣをカートリッジホルダ６１内に投入し、第２操作ハンドルＨ２によってブロック状部材６４を係止位置に切り換えると、自動的に、モータＭ２によって先ず扉操作軸６３が駆動されて、カートリッジＦＣの遮光扉ＦＣ２が開放され、次に、スピンドル６２ａが駆動されて、カートリッジＦＣの開口部から２４０フィルムＦ２が、第２搬送レーンＦＬ２に供給されるように構成されている。
尚、第２搬送レーンＦＬ２には、２４０フィルムＦ２の磁気トラック上に記録された磁気記録の内容を読み取る磁気トラックリーダ６６が配置されている。磁気記録の内容は、撮影に使用されたカメラから記録された撮影データや、前回のプリント処理を行ったプリント装置等から記録された露光条件に関しており、現在実施しようとしているプリント用の露光操作等に反映させることができる。
【００３６】
（除塵機構の構成）
図４と図５に示すように、フィルムキャリア９には、第２搬送レーンＦＬ２を通過中の２４０フィルムＦ２の面に存在する塵埃などを物理的に除去するための除塵機構７０が設けられている。除塵機構７０は、磁気記録リーダ６６の直前に配置された一対の無端状のクリーニングベルト７１と、クリーニングベルト７１の手前側の端部に隣接して配置された除塵ブラシ７４と、除塵ブラシ７４に隣接するようにフィルムキャリア本体１０の下側本体１０Ｌに設けられた排気ファン７５とを有する。
図１１に示すように、クリーニングベルト７１は、デュアルレーンユニット３０のレーンユニット本体３０ａに支持された下側ベルト７１ａと、第１揺動プレート３１ａ側に支持された上側ベルト７１ｂとからなる。下側ベルト７１ａと上側ベルト７１ｂはいずれも第２搬送レーンＦＬ２の軸芯Ｘ２と直角に延びている。下側ベルト７１ａと上側ベルト７１ｂの内側面は、軸芯Ｘ２と平行に延びた軸芯を持つタイミングプーリの歯と噛合するタイミングベルトの形態を有するが、その外側面には、クリーニング用の別珍かそれに類似の起毛されたファブリックシートが貼付されている。
【００３７】
レーンユニット本体３０ａには、幾つかのタイミングギヤとタイミングベルトの組み合わせを介してモータＭ１の回転軸と一体的に回転する入力ギヤ７２ａが配置されており、この入力ギヤ７２ａと一体回転する軸７２ｂ上に第１中継ギヤ７３ａが外嵌されている。そして、下側ベルト７１ａはこの第１中継ギヤ７３ａと常に一体的に回転するように構成されている。また、第１揺動プレート３１ａには、第１揺動プレート３１ａを水平な閉鎖位置に切り換える操作に応じて初めて第１中継ギヤ７３ａと噛合状態となる第２中継ギヤ７３ｂが回転自在に支持されており、上側ベルト７１ｂはこの第２中継ギヤ７３ｂと常に一体的に回転するように構成されている。
【００３８】
尚、モータＭ１の正転に応じて、２４０フィルムＦ２が左向きに搬送されるプレスキャンのモードでは下側ベルト７１ａと上側ベルト７１ｂが回転駆動されるが（図１１（イ）の状態）、モータＭ１の逆転に応じて、２４０フィルムＦ２が右向きに搬送される本スキャンのモードでは下側ベルト７１ａと上側ベルト７１ｂが回転駆動されず、静止状態に保持される（図１１（ロ）の状態）ように、第１中継ギヤ７３ａと軸７２ｂの間にはワンウェイクラッチ機構７６が介装されている。これは、回転操作中のベルト７１ａ，７１ｂが、本スキャンの際の２４０フィルムＦ２の搬送速度にむらを生じる要素を排除するためである。
【００３９】
除塵ブラシ７４は、ベルト７１ａ，７１ｂと同様に、第２搬送レーンＦＬ２の軸芯Ｘ２と平行な軸芯周りで回転自在に支持されており、除塵ブラシ７４から径方向外向きに延びた多数の剛毛体は、ベルト７１ａ，７１ｂの面と直角に延び、双方のベルト７１ａ，７１ｂの面に常に押付けられている。除塵ブラシ７４の一端面側には入力用のピニオンギヤ８４が一体回転するように配置されている。このピニオンギヤ８４は、下側ベルト７１ａを支持する最も手前側のタイミングプーリと一体回転するように配置されたピニオンギヤ８５と連動するように中間ギヤを介して連結されている。従って、除塵ブラシ７４は、モータＭ１の正転に応じて回転操作されるベルト７１ａ，７１ｂと常に同期回転され、下側ベルト７１ａと上側ベルト７１ｂの双方と逆向きに回転駆動されて、ベルト７１ａ，７１ｂ上に付着している塵埃などを掻き取り、下方に送る。下方に送られた塵埃は、下側本体１０Ｌに設けられた排気ファン７５によって、フィルムキャリア本体１０外に排出される。
【００４０】
〔別実施形態〕
上記の実施形態では、引き込み防止機構を、下側の搬送ローラＲ１ｅのための伝動機構としてのタイミングプーリの軸芯の上に配置されたワンウェイクラッチ機構３３によって実現している。しかし、引き込み防止機構としては、図１４に例示したように、上のローラＲｘと下のローラＲｘの共通接線Ｚが前記順送り方向に沿って下方に傾斜した構成を有する補助排出ローラ対Ｒｘ，Ｒｘによって実現することもできる。
このような構成では、順送りモードにおける主搬送機構の駆動力によって回転駆動される補助排出ローラ対Ｒｘ，Ｒｘによって１０ｂ排出口から押し出された写真フィルムＦは、写真フィルムの自重と順送り方向に沿って下方に傾斜したローラの周面との作用で、補助排出ローラ対Ｒｘ，Ｒｘから下方に落下し、補助排出ローラ対の周面から離間した状態が提供されるので、後に補助排出ローラ対Ｒｘ，Ｒｘが逆転しても、排出口１０ｂから一旦排出された写真フィルムＦが再びフィルムキャリア９内に導入される事態が解消される。
【図面の簡単な説明】
【図１】本発明の一実施形態としてのスキャナ装置の外観斜視図
【図２】図１のスキャナ装置に設けられたフィルムキャリアの外観斜視図
【図３】フィルムキャリアの内部を示す斜視図
【図４】フィルムキャリアの内部を示す平面図
【図５】フィルムキャリアの回転駆動系を示す平面図
【図６】フィルムキャリアのデュアルレーンユニットの動きを示す平面図
【図７】フィルムキャリアの巻取りユニットの要部を示す平面図
【図８】フィルムキャリアの巻取りユニットの分解斜視図
【図９】フィルムキャリアの巻取りユニットの動きを示す正面図
【図１０】フィルムキャリアの補助排出ローラ対の付近を示す斜視図
【図１１】フィルムキャリアの除塵機構を示す斜視図
【図１２】１３５フィルムに実施される２つのスキャニング操作方法を示す正面図
【図１３】２４０フィルムに実施される２つのスキャニング操作方法を示す正面図
【図１４】引き込み防止機構の別実施形態を示す正面図
【符号の説明】
１  スキャナ装置
２  スキャナ本体
９  フィルムキャリア
１０  フィルムキャリア本体
１０ａ  装入口
１０ｂ  排出口
３０  デュアルレーンユニット
４０  巻取りユニット
Ｆ１  １３５フィルム
Ｆ２  ２４０フィルム
ＦＬ１  第１搬送レーン
ＦＬ２  第２搬送レーン
ＳＰ  スキャニングポイント
Ｒ１ｅ，Ｒ１ｅ  補助排出ローラ対（引き込み防止機構）
Ｒｘ，Ｒｘ  補助排出ローラ対（引き込み防止機構）
【図１】
0003797187.tif 000002
【図２】
0003797187.tif 000003
【図３】
0003797187.tif 000004
【図４】
0003797187.tif 000005
【図５】
0003797187.tif 000006
【図６】
0003797187.tif 000007
【図７】
0003797187.tif 000008
【図８】
0003797187.tif 000009
【図９】
0003797187.tif 000010
【図１０】
0003797187.tif 000011
【図１１】
0003797187.tif 000012
【図１２】
0003797187.tif 000013
【図１３】
0003797187.tif 000014
【図１４】
0003797187.tif 000015